(57)【要約】【課題】容易に製造することができると共に小型化することができる電気接続部品の製造技術を提供すること。【解決手段】電気接続部品（１０）は、筐体（１１）と、筐体（１１）に収納された回路基板（１２）と、回路基板（１２）に給電可能であり筐体（１１）の外部に接続可能な端子（２２）と、回路基板（１２）及び端子（２２）を接続しているバスバー（３０）と、を有する。バスバー（３０）は、回路基板（１２）に当接している回路基板当接部（３１）と、回路基板当接部（３１）と略同じ方向に伸びると共に端子（２２）に当接している端子当接部（３２）と、回路基板当接部（３１）及び端子当接部（３２）を接続すると共に樹脂（１５）が熱伸び又は熱収縮した際に発生する応力を緩和するよう略Ｕ字状に形成された１つの湾曲部（３３）と、を有する。【選択図】図２
2019161717.tif 000002
【特許請求の範囲】
【請求項１】
筐体と、この筐体に収納された回路基板と、この回路基板に給電可能であり前記筐体の外部に接続可能な端子と、これらの回路基板及び端子を接続しているバスバーと、を有すると共に、前記回路基板、端子、及び、バスバーは、前記筐体に充填された樹脂によって埋没されている電気接続部品であって、
前記バスバーは、前記回路基板に当接している回路基板当接部と、この回路基板当接部と略同じ方向に伸びると共に前記端子に当接している端子当接部と、これらの回路基板当接部及び端子当接部を接続すると共に前記樹脂が熱伸び又は熱収縮した際に発生する応力を緩和するよう略Ｕ字状に形成された１つの湾曲部と、を有することを特徴とする電気接続部品。
【発明の詳細な説明】
【技術分野】
【０００１】
本発明は、回路基板及び端子がバスバーによって接続されてなる電気接続部品に関する。
【背景技術】
【０００２】
例えば、二輪車に搭載される部品として、電気接続部品が用いられている。電気接続部品は、回路基板及び端子がバスバーによって接続されてなる。電気接続部品に関する従来技術として特許文献１に開示される技術がある。
【０００３】
特許文献１に示されるような、電気接続部品は、回路基板と、この回路基板に給電可能であり外部に接続可能な端子と、これらの回路基板及び端子を接続しているバスバーと、を有する。
【０００４】
バスバーは、回路基板に当接している回路基板当接部と、この回路基板当接部と略同じ方向に伸びると共に端子に当接している端子当接部と、これらの回路基板当接部及び端子当接部を接続する接続部と、を有している。
【０００５】
接続部は、上方に向かって突出した突出部を含む。突出部は、略９０°に曲げられた２つの角を有する。
【先行技術文献】
【特許文献】
【０００６】
【特許文献１】特開２００９−１８１７７５号公報
【発明の概要】
【発明が解決しようとする課題】
【０００７】
ところで、特許文献１に示されるような電気接続部品を二輪車の外部に露出する部位に搭載することがある。このような場合には、回路基板、端子、及び、バスバーを樹脂で覆い、これらを保護することがある。回路基板等を覆った樹脂は、外気温や発熱した回路基板の熱の影響により、膨張及び収縮をする。樹脂が膨張及び収縮するさいに、バスバーには、応力が発生する。バスバーに設けられた突出部は、変形することにより応力を緩和する。
【０００８】
しかし、２つの角を含む突出部は、２度の曲げを行わなければならないため、工程が複雑になり製造時間の長大化を招く。加えて、バスバーの小型化を阻害する。
【０００９】
本発明は、容易に製造することができると共に小型化することができる電気接続部品の製造技術の提供を課題とする。
【課題を解決するための手段】
【００１０】
本発明によれば、筐体と、この筐体に収納された回路基板と、この回路基板に給電可能であり前記筐体の外部に接続可能な端子と、これらの回路基板及び端子を接続しているバスバーと、を有すると共に、前記回路基板、端子、及び、バスバーは、前記筐体に充填された樹脂によって埋没されている電気接続部品であって、
前記バスバーは、前記回路基板に当接している回路基板当接部と、この回路基板当接部と略同じ方向に伸びると共に前記端子に当接している端子当接部と、これらの回路基板当接部及び端子当接部を接続すると共に前記樹脂が熱伸び又は熱収縮した際に発生する応力を緩和するよう略Ｕ字状に形成された１つの湾曲部と、を有することを特徴とする電気接続部品が提供される。
【発明の効果】
【００１１】
本発明では、バスバーは、回路基板当接部及び端子当接部を接続すると共に樹脂が熱伸び又は熱収縮した際に発生する応力を緩和するよう略Ｕ字状に形成された１つの湾曲部を有する。湾曲部を有することにより、樹脂が熱伸び又は熱収縮した際に発生する応力を緩和することができる。湾曲部の形状は、略Ｕ字状であるため、１度の曲げで形成することができると共に、小型化を図ることができる。即ち、容易に製造することができると共に小型化することができる電気接続部品を供給することができる。
【図面の簡単な説明】
【００１２】
【図１】本発明の実施例による電気接続部品の斜視図である。
【図２】図１の２−２線断面図である。
【発明を実施するための形態】
【００１３】
本発明の実施の形態を添付図に基づいて以下に説明する。
＜実施例＞
【００１４】
図１を参照する。電気接続部品１０は、筐体１１と、この筐体１１に収納された回路基板１２と、この回路基板１２に給電可能であり筐体１１の外部に接続可能な端子ユニット２０と、これらの回路基板１２及び端子ユニット２０を接続し通電可能なバスバー３０と、筐体１１の内部に充填され回路基板１２、端子ユニット２０、及び、バスバー３０を上方から覆っている樹脂１５と、を有する。
【００１５】
筐体１１は、略矩形板状の底部から側壁が立ち上げられてなる。筐体１１の内部は、樹脂１５によって満たされている。
【００１６】
回路基板１２は、平板状の基板本体１２ａから複数の支持台部１２ｂが上方に突出してなる。支持台部１２ｂには、バスバー３０の先端が固定されている。支持台部１２ｂの上面は、端子ユニット２０よりも上方に位置している。
【００１７】
端子ユニット２０は、筐体１１の下部から差し込まれ先端が筐体１１の内部に臨む基部２１と、この基部２１の上面に載せられ通電可能な端子２２と、この端子２２を基部２１に固定している複数のビス２３と、を有している。
【００１８】
基部２１は、筐体１１の底部に２つ固定されている。基部２１は、筐体１１の端に沿ってそれぞれ略平行に設けられている。基部２１には、それぞれ複数の端子２２が載せられている。端子２２は、それぞれ複数のビス２３によって、基部２１に固定されている。
【００１９】
図２を併せて参照する。バスバー３０は、金属の１枚板を曲げることにより形成されている。バスバー３０は、回路基板１２の支持台部１２ｂに当接している回路基板当接部３１と、この回路基板当接部３１と略平行に伸びると共に端子２２の上面に当接している端子当接部３２と、これらの回路基板当接部３１及び端子当接部３２を接続し上端が略Ｕ字状に形成された１つの湾曲部３３と、を有する。
【００２０】
回路基板当接部３１には、ビス３４が貫通する穴３１ａが開けられている。回路基板当接部３１は、ビス３４及び支持台部１２ｂによって挟み込まれている。
【００２１】
端子当接部３２の端部は、略Ｕ字状の切り欠き形状を呈する切り欠き形状部３２ａとされている。端子当接部３２は、ビス２３及び端子２２によって挟み込まれている。
【００２２】
湾曲部３３は、端子当接部３２の端部から回路基板当接部３１の端部に向かって略鉛直方向に延びており、先端が上端に底部が位置するＵ字状に形成されている。湾曲部３３は、先端のＵ字状に形成された部位によって、樹脂１５が熱伸び又は熱収縮した際に発生する応力を緩和する。
【００２３】
湾曲部３３及び端子当接部３２の境界部分は、円弧形状に形成されている。湾曲部３３及び回路基板当接部３１の境界部分は、円弧形状に形成されている。
【００２４】
以上に説明した本発明は、以下の効果を奏する。
【００２５】
バスバー３０は、回路基板当接部３１及び端子当接部３２を接続すると共に樹脂１５が熱伸び又は熱収縮した際に発生する応力を緩和するよう略Ｕ字状に形成された１つの湾曲部３３を有する。湾曲部３３を有することにより、樹脂１５が熱伸び又は熱収縮した際に発生する応力を緩和することができる。湾曲部３３の形状は、略Ｕ字状であるため、１度の曲げで形成することができると共に、角形状に比べて小型化を図ることができる。即ち、容易に製造することができると共に小型化することができる電気接続部品１０を供給することができる。
【００２６】
尚、本発明の作用及び効果を奏する限りにおいて、本発明は、実施例に限定されるものではない。
【産業上の利用可能性】
【００２７】
本発明の電気接続部品は、二輪車に搭載するのに好適である。
【符号の説明】
【００２８】
１０…電気接続部品
１１…筐体
１２…回路基板
１５…樹脂
２２…端子
３０…バスバー
３１…回路基板当接部
３２…端子当接部
３３…湾曲部
【図１】
2019161717.tif 000003
【図２】
2019161717.tif 000004